(57)【要約】【課題】容易に施工作業ができるとともに、容易に雑物の除去作業ができる排水装置を提供する。【解決手段】排水装置６は、給湯タンクから高温排水を上面開口部10から受け入れて内部に貯留する有底筒状の本体11を備える。本体11の上部側面には、排水管７を嵌合接続する突出筒状体12を外方に向けて一体に突設する。突出筒状体12の内周側には、トラップ体13の取付部36の外周側を脱着可能に取り付ける。本体11の上端部には、ごみ等の雑物が上面開口部10から本体11内に入ることを防止する雑物捕集体14を脱着可能に取り付ける。【選択図】図２
2007309623.tif 000002
【特許請求の範囲】
【請求項１】
給湯タンクからの高温排水を受け入れ、この受け入れた高温排水を排水管に排出する排水装置であって、
前記給湯タンクからの高温排水を上面開口部から受け入れて内部に貯留する有底筒状の本体と、
この本体の上部側面から外方に向って突出し、前記排水管が接続される突出筒状体と、
この突出筒状体の内周側に取り付けられたトラップ体と、
前記本体の上端部に脱着可能に取り付けられ、ごみ等の雑物が前記上面開口部から前記本体の内部に入ることを防止する雑物捕集体と
を備えることを特徴とする排水装置。
【請求項２】
トラップ体は、突出筒状体の内周側に対して脱着可能となっている
ことを特徴とする請求項１記載の排水装置。
【請求項３】
突出筒状体は、先端側に形成された円筒状の排水管被接続部と、基端側に形成された円筒状のトラップ体被取付部とを有し、
トラップ体は、前記トラップ体被取付部の内周側に外周側が嵌合された円筒状の取付部と、前記本体内に位置する扁平中空状のトラップ部とを有する
ことを特徴とする請求項１または２記載の排水装置。
【請求項４】
トラップ体の取付部の縦断面開口面積が、トラップ部の横断面開口面積と略等しくなっている
ことを特徴とする請求項３記載の排水装置。
【請求項５】
トラップ体の取付部の内径寸法が、突出筒状体の排水管被接続部の内周側に接続される接続管の内径寸法と略等しくなっている
ことを特徴とする請求項３または４記載の排水装置。
【請求項６】
雑物捕集体は、複数の孔が形成された格子状の目皿部を有する
ことを特徴とする請求項１ないし５のいずれか一記載の排水装置。
【発明の詳細な説明】
【技術分野】
【０００１】
本発明は、電気温水器等の給湯タンクからの高温排水を受け入れこの受け入れた高温排水を排水管に排出する排水装置に関するものである。
【背景技術】
【０００２】
従来、例えば電気温水器の排水構造として、電気温水器の下部をケース底板によって構成し、このケース底板の一箇所に排出穴部を設けて漏水排出手段を構成するとともに排出穴部の上部に排出管の下流端を位置させ、排出穴部の下面側に上部が排出穴部と接続され下部が排水溝に接続した排水管を取り付けて、排出管からの排水とケース底板に沿って流れた漏水とを排出穴部を通して排水管に排出するようにしたものが知られている（例えば、特許文献１参照）。
【０００３】
そして、上部を排出穴部の下面側に接続し下部を排水溝に接続した排水管は、上部排水口を有する漏斗状の上部通路と、その下方にＵ字状の通路と逆Ｕ字状の通路とを連接して形成した中部通路と、さらにその下方に上部通路とずらして設けて下部通路とによって構成されている。また、排水管の上部通路には大気開放の開口部が設けられ、この開口部には外部から排水管内にごみ等の雑物が侵入しないように適当な開口面積を持つ網目部が設けられている。
【特許文献１】特開平１０−３２５６１６号公報（図１および図２）
【発明の開示】
【発明が解決しようとする課題】
【０００４】
しかしながら、上記従来のような排水構造では、例えば電気温水器のケース底板の排出穴部の下面側と排水溝との間に排水管を配設するのに手間取り、施工作業が煩雑となるおそれがあり、また排水管の網目部に付着したごみ等の雑物をその網目部から除去しずらいという問題もある。
【０００５】
本発明は、このような点に鑑みなされたもので、容易に施工作業ができるとともに、容易に雑物の除去作業ができる排水装置を提供することを目的とする。
【課題を解決するための手段】
【０００６】
請求項１記載の排水装置は、給湯タンクからの高温排水を受け入れ、この受け入れた高温排水を排水管に排出する排水装置であって、前記給湯タンクからの高温排水を上面開口部から受け入れて内部に貯留する有底筒状の本体と、この本体の上部側面から外方に向って突出し、前記排水管が接続される突出筒状体と、この突出筒状体の内周側に取り付けられたトラップ体と、前記本体の上端部に脱着可能に取り付けられ、ごみ等の雑物が前記上面開口部から前記本体の内部に入ることを防止する雑物捕集体とを備えるものである。
【０００７】
請求項２記載の排水装置は、請求項１記載の排水装置において、トラップ体は、突出筒状体の内周側に対して脱着可能となっているものである。
【０００８】
請求項３記載の排水装置は、請求項１または２記載の排水装置において、突出筒状体は、先端側に形成された円筒状の排水管被接続部と、基端側に形成された円筒状のトラップ体被取付部とを有し、トラップ体は、前記トラップ体被取付部の内周側に外周側が嵌合された円筒状の取付部と、前記本体内に位置する扁平中空状のトラップ部とを有するものである。
【０００９】
請求項４記載の排水装置は、請求項３記載の排水装置において、トラップ体の取付部の縦断面開口面積が、トラップ部の横断面開口面積と略等しくなっているものである。
【００１０】
請求項５記載の排水装置は、請求項３または４記載の排水装置において、トラップ体の取付部の内径寸法が、突出筒状体の排水管被接続部の内周側に接続される接続管の内径寸法と略等しくなっているものである。
【００１１】
請求項６記載の排水装置は、請求項１ないし５のいずれか一記載の排水装置において、雑物捕集体は、複数の孔が形成された格子状の目皿部を有するものである。
【発明の効果】
【００１２】
請求項１に係る発明によれば、給湯タンクに本体の上面開口部側を接続する必要がないため、容易に施工作業ができ、また、雑物捕集体が本体の上端部に対して脱着可能となっているため、雑物捕集体を本体から取り外すことによって、容易に雑物の除去作業ができる。
【００１３】
請求項２に係る発明によれば、トラップ体が突出筒状体の内周側に対して脱着可能となっているため、トラップ体を突出筒状体から取り外すことによって、排水管の詰まり等に容易に対応できる。
【００１４】
請求項３に係る発明によれば、トラップ体の取付部の外周側を突出筒状体のトラップ体被取付部の内周側に嵌合することによって、トラップ体を突出筒状体に容易に取り付けることができる。
【００１５】
請求項４に係る発明によれば、トラップ体の取付部の縦断面開口面積がトラップ部の横断面開口面積と略等しくなっているため、トラップ性能に優れている。
【００１６】
請求項５に係る発明によれば、トラップ体の取付部の内径寸法が、突出筒状体の排水管被接続部の内周側に接続される接続管の内径寸法と略等しくなっているため、高温排水を排水管にスムーズに排出できる。
【００１７】
請求項６に係る発明によれば、複数の孔が形成された格子状の目皿部によってごみ等の雑物を確実に捕集できる。
【発明を実施するための最良の形態】
【００１８】
本発明の排水装置の第１の実施の形態を図１ないし図７を参照して説明する。
【００１９】
図１において、１は電気温水器の給湯タンクで、この給湯タンク１は、屋外のタンク載置台２上に載置され、例えば約９０℃の湯を屋内の各給湯設備に供給するものである。
【００２０】
給湯タンク１は、約９０℃の湯を貯留するタンク本体部３と、タンク本体部３を支持する複数本の脚部４と、タンク本体部３の下部に設けられ定期的な清掃時にタンク本体部３内から約９０℃の湯を高温排水として排出する排出部である排出管部５とを備えている。
【００２１】
そして、定期的な清掃時に給湯タンク１の排出管部５から排出される高温排水は、例えばタンク載置台２上に載置された耐熱塩化ビニル樹脂製の排水装置６によって受け入れて水平方向の排水管７に排出され、この排水管７を通った後、継手8a、縦管8bおよび横管8c等からなる排水手段８を経て、図示しない下水本管等に流れ込む。
【００２２】
排水装置６は、図２ないし図７に示すように、給湯タンク１の排出管部５から排出される高温排水を上方に向って開口する上面開口部10から受け入れて内部に貯留する有底筒状の本体11と、この本体11に一体に設けられこの本体11の上部側面から外方に向って水平状に突出し断面円形の排水管７の上流端部が嵌合接続される円筒状の突出筒状体12とを備えている。
【００２３】
また、排水装置６は、突出筒状体12の内周側に脱着可能に取り付けられ排水管７側からの臭気等の逆流を防ぐための略筒状のトラップ体13と、本体11の上端部に上面開口部10を覆うように脱着可能に取り付けられ給湯タンク１からの高温排水を通すとともにごみ等の雑物（例えば枯葉等）を捕集して雑物が上面開口部10から本体11の内部に入ることを防止する略板状の蓋体である雑物捕集体14とを備えている。
【００２４】
本体11は、底面部21と、この底面部21の外周端に一体に立設された筒状の側面部22とを有している。側面部22は、垂直面状の平面部分23と、横断面形状が略Ｕ字状をなす部分24とにて構成されており、平面部分23の上部に突出筒状体12が外方に向って一体に突設されている。
【００２５】
本体11の上端部、すなわち本体11の上面開口部10に臨んだ部分には、雑物を捕集する雑物捕集体14が脱着可能に取り付けられる環状の捕集体被取付部25が形成されている。
【００２６】
捕集体被取付部25は、雑物捕集体14の外周端部が載置される環状の水平面状の載置面26と、この載置面26の外周端から立ち上がった環状の垂直面状の立上面27と、この立上面27の複数箇所、例えば４箇所に内方に向って突設された圧着部である突起28とを有している。そして、雑物捕集体14の本体11の捕集体被取付部25への取付時には、雑物捕集体14の外周端部が捕集体被取付部25の載置面26に載置され、雑物捕集体14の外周面の所定部位が捕集体被取付部25の各突起28に圧着される。
【００２７】
突出筒状体12は、先端側に形成された円筒状の排水管被接続部31と、基端側に形成された円筒状のトラップ体被取付部32とを有している。排水管７の上流端部の外周側が内周側に嵌合される排水管被接続部31は、トラップ体13が内周側に嵌合されるトラップ体被取付部32より径大状に形成されており、突出筒状体12の内周面に排水管７の上流端部と接触する位置決め用の段差部33が形成されている。
【００２８】
トラップ体13は、突出筒状体12のトラップ体被取付部32の内周側に外周側が嵌合される円筒状の取付部36と、この取付部36に一体に設けられ本体11内に側面部22の平面部分23に面接触した状態で位置し本体11内の高温排水を排水管７に導く扁平中空状で下面開口状のトラップ部37とを有している。
【００２９】
そして、トラップ部37は、本体11の内部における底面部21近傍位置で下方に向って開口する下面開口部35を有するとともに、本体11の側面部22の平面部分23と面接触する平板部38を有し、この平板部38の上部に円筒状の取付部36が一体に突設されている。トラップ部37の平板部38の上部両側には、トラップ体13を突出筒状体12から取り外す際にドライバー等の工具を差し込む上下方向長手状で上面開口状の凹状部39が形成されている。
【００３０】
なお、トラップ体13の円筒状の取付部36の垂直面に沿った縦断面開口面積が、トラップ体13の扁平中空状のトラップ部37の水平面に沿った横断面開口面積と略等しくなっている。また、トラップ体13の取付部36の内径寸法が、突出筒状体12の排水管被接続部31の内周側に接続される排水管７の内径寸法と略等しくなっている。
【００３１】
雑物捕集体14は、図２、図６および図７に示されるように、本体11の上面開口部10に対応する形状をなす略皿状の環状部材41と、この環状部材41の内周側に脱着可能に取り付けられた略円形状の網部材42とにて構成されている。環状部材41の外周端部には、本体11の捕集体被取付部25の載置面26に載置される載置部43が形成されている。環状部材41の内周端部には、網部材42が脱着可能に取り付けられた段差部44が形成されている。給湯タンク１の排出管部５の下方に配置される網部材42にて、複数の孔が形成された格子状の目皿部46が構成されている。この目皿部46は、ごみ等の雑物の捕集機能に加え、給湯タンク１から落下するように排出される高温排水が周囲に飛散することを防止する機能も有する。なお、飛散防止性向上のために、例えば目皿部46の縦断面形状を上方に向って先細形状としてもよい。
【００３２】
なお、本体11、突出筒状体12、トラップ体13、雑物捕集体14の環状部材41、および排水管７等は、約９０℃の高温排水が流れても熱変形しないように、耐熱塩化ビニル樹脂にて形成されている。雑物捕集体14の網部材42は、耐熱性を有する金属材料にて形成されている。
【００３３】
次に、上記排水装置６の作用等を説明する。
【００３４】
電気温水器の給湯タンク１の清掃時には、給湯タンク１のタンク本体部３内を空にするために、タンク本体部３内の約９０℃の湯を高温排水として排出管部５から外部に排出する。
【００３５】
給湯タンク１の排出管部５からの高温排水は、排出管部５の下方にこの排出管部５と離れて位置する上面開口部10から、雑物捕集体14の網部材42の孔を通って、本体11内に一旦貯留された後、下面開口部35からトラップ体13内を通って、排水管７内に排出される。その後、その排水は、排水管７内を流れ、継手8a、縦管8bおよび横管8c等からなる排水手段８を経て、図示しない下水本管等に流れ込む。
【００３６】
また、例えば雑物捕集体14にて捕集されたごみ等の雑物を雑物捕集体14から除去する場合には、雑物捕集体14を本体11の捕集体被取付部25から取り外して掃除する。
【００３７】
さらに、例えば排水管７内に詰まりが生じた場合には、雑物捕集体14を本体11の捕集体被取付部25から取り外してから、トラップ体13を突出筒状体12の内周側から取り外して上面開口部10から本体11の外部に出し、その後、排水管７内の詰まりを処理する。
【００３８】
そして、この排水装置６によれば、給湯タンク１のタンク本体部３に本体11の上面開口部10側を何ら接続する必要がないため、従来の排水構造に比べて、容易に施工作業ができ、施工時間の短縮化等を図ることができる。
【００３９】
また、ごみ等の雑物を捕集する雑物捕集体14が本体11の上端部の捕集体被取付部25に対して脱着可能となっているため、雑物捕集体14を本体11から取り外すことによって、容易に雑物の除去作業ができる。
【００４０】
さらに、トラップ体13が突出筒状体12のトラップ体被取付部32の内周側に対して脱着可能となっているため、トラップ体13を突出筒状体12から取り外すことによって、排水管７の詰まり等に容易に対応できる。
【００４１】
また、トラップ体13の取付部36を突出筒状体12のトラップ体被取付部32内に差し込んでトラップ体13の取付部36の外周側を突出筒状体12のトラップ体被取付部32の内周側に嵌合することのみによって、トラップ体13を突出筒状体12に容易かつ確実に取り付けることができる。
【００４２】
さらに、トラップ体13を突出筒状体12から取り外す際には、ドライバー等の工具をトラップ部37の平板部38に形成された凹状部39に差し込むことによって、トラップ体13を突出筒状体12から容易かつ確実に取り外すことができる。
【００４３】
また、トラップ体13の取付部36の縦断面開口面積がトラップ部37の横断面開口面積と略等しくなっているため、トラップ性能に優れており、また、トラップ体13の取付部36の内径寸法が排水管７の内径寸法と略等しくなっているため、高温排水を段差なくトラップ体13から排水管７にスムーズに排出できる。
【００４４】
次に、本発明の排水装置の第２の実施の形態を図８ないし図１１を参照して説明する。なお、第１の実施の形態と同一の構成部分については同一符号を付し、その説明を省略する。
【００４５】
この図８等に示す排水装置６では、図１等に示す排水装置６に比べて、雑物捕集体14が本体11の捕集体被取付部25から取れ難いようになっている。
【００４６】
本体11の捕集体被取付部25は、立上面27の複数箇所、例えば３箇所に内方に向って突設された２つの圧着部である突起28と１つの抜止め用突部28aとを有している。
【００４７】
雑物捕集体14の環状部材41は、図１０に示されるように、直線側の２箇所に形成された凹部51と、曲線側の１箇所に形成された挿入部52とを有している。
【００４８】
そして、雑物捕集体14の本体11の捕集体被取付部25への取付時には、雑物捕集体14の外周端部の載置部43が捕集体被取付部25の載置面26に載置され、雑物捕集体14の外周面に形成された凹部51が突起28に圧着され、かつ、雑物捕集体14の挿入部52が、捕集体被取付部25の抜止め用突部28aとこれと離間対向する載置面26の所定部分との間に挿入される。
【００４９】
このような排水装置６によれば、容易に施工作業ができるとともに容易にごみ等の雑物の除去作業ができる等、図１等に示す排水装置６と同様の作用効果を奏することができるばかりでなく、雑物捕集体14が本体11の捕集体被取付部25から不用意に取れる不具合を確実に防止できる。
【００５０】
次に、本発明の排水装置の第３の実施の形態を図１２ないし図１５を参照して説明する。なお、第１の実施の形態と同一の構成部分については同一符号を付し、その説明を省略する。
【００５１】
この図１２等に示す排水装置６では、図１等に示す排水装置６に比べて、雑物捕集体14が本体11の捕集体被取付部25から取れ難いようになっている。
【００５２】
本体11の捕集体被取付部25は、載置面26と、この載置面26の外周端から立ち上がった立上面27と、この立上面27の上端に連設された上端載置面56とを有している。この立上面27には、突起28が形成されていない。
【００５３】
雑物捕集体14の環状部材41の外周端部には、本体11の捕集体被取付部25の上端載置面56に載置される上端載置部57が形成されている。環状部材41の内周端部には、網部材42が脱着可能に取り付けられた段差部44が形成されている。また、図１５等に示されるように、環状部材41の下面側には、段差部44から複数の異なる方向に延びる複数の凸状の補強リブ部58が形成されている。各補強リブ部58の下面の少なくとも一部が、本体11の捕集体被取付部25の載置面26に載置される載置部43となっている。
【００５４】
そして、雑物捕集体14の本体11の捕集体被取付部25への取付時には、雑物捕集体14の外周端部の上端載置部57が捕集体被取付部25の上端載置面56に載置され、雑物捕集体14の各補強リブ部58の下面の載置部43が捕集体被取付部25の載置面26に載置され、かつ、雑物捕集体14の各補強リブ部58の先端部が捕集体被取付部25の立上面27の所定部位に強固に圧着される。
【００５５】
このような排水装置６によれば、容易に施工作業ができるとともに容易にごみ等の雑物の除去作業ができる等、図１等に示す排水装置６と同様の作用効果を奏することができるばかりでなく、雑物捕集体14が本体11の捕集体被取付部25から不用意に取れる不具合を確実に防止できる。
【００５６】
次に、本発明の排水装置の第４の実施の形態を図１６ないし図１９を参照して説明する。なお、第１の実施の形態と同一の構成部分については同一符号を付し、その説明を省略する。
【００５７】
この図１６等に示す排水装置６では、図１等に示す排水装置６に比べて、雑物捕集体14が本体11の捕集体被取付部25から取れ難いようになっている。
【００５８】
本体11の捕集体被取付部25は、載置面26と、この載置面26の外周端から立ち上がった立上面27と、載置面26の複数箇所、例えば５箇所から立ち上がったピン突起61とを有している。この立上面27には、突起28が形成されていない。
【００５９】
雑物捕集体14の環状部材41の外周端部下面側には、本体11の捕集体被取付部25のピン突起61と係脱可能に係合する複数の係合突起部62が形成されている。これら複数の係合突起部（環状部材41の角部近傍に形成された２つの断面円形の係合突起部62を除く）62の下面が、本体11の捕集体被取付部25の載置面26に載置される載置部43となっている。
【００６０】
そして、雑物捕集体14の本体11の捕集体被取付部25への取付時には、雑物捕集体14の外周端部の所望の係合突起部62の下面の載置部43が捕集体被取付部25の載置面26に載置され、雑物捕集体14の外周面略全体が捕集体被取付部25の立上面27に密着され、かつ、雑物捕集体14の係合突起部62が捕集体被取付部25のピン突起61と係合する。
【００６１】
このような排水装置６によれば、容易に施工作業ができるとともに容易にごみ等の雑物の除去作業ができる等、図１等に示す排水装置６と同様の作用効果を奏することができるばかりでなく、雑物捕集体14が本体11の捕集体被取付部25から不用意に取れる不具合を確実に防止できる。
【００６２】
また一方、図２０および図２１に示すように、雑物捕集体14の環状部材41の直線側中央部に上方に向って突出状で縦断面略コ字状の工具係合受け部である係合受け部71を設けた構成でもよい。この構成では、雑物捕集体14を本体11の上端部から取り外す際に、ドライバー等の工具を係合受け部71に係合させることによって、雑物捕集体14を本体11の上端部から容易かつ確実に取り外すことができる。
【００６３】
また、図２２および図２３に示すように、雑物捕集体14の環状部材41の直線側の両側に上方に向って突出状で垂直面状の手掛け部である摘み板部72を設けた構成でもよい。この構成では、雑物捕集体14を本体11の上端部から取り外す際に、作業者が指で摘み板部72を摘むことによって、雑物捕集体14を本体11の上端部から容易かつ確実に取り外すことができる。
【００６４】
さらに、図２４および図２５に示すように、雑物捕集体14の環状部材41の直線側の両側に下方に向って突出状の手掛け部である指挿入凹部73を設けた構成でもよい。この構成では、雑物捕集体14を本体11の上端部から取り外す際に、作業者が指を指挿入凹部73に挿入することによって、雑物捕集体14を本体11の上端部から容易かつ確実に取り外すことができる。なお、図示しないが、係合受け部71、摘み板部72或いは指挿入凹部73をいずれの実施の形態の雑物捕集体14に設けてもよい。
【００６５】
また、排水装置６は、図２６ないし図２９に示すように、本体11の形状を有底円筒形状にした第５の実施の形態でもよい。
【００６６】
すなわちこの第５の実施の形態に係る排水装置６の本体11は、円板状の底面部21と、この底面部21の外周端に一体に立設された円筒状の側面部22とを有し、トラップ体13は、トラップ体被取付部32の内周側に外周側が嵌合される円筒状の取付部36と、この取付部36に一体に設けられ曲面部81が側面部22の内周面一部に面接触した状態で本体11内に位置しこの本体11内の高温排水を排水管７に導く扁平中空状で下面開口状のトラップ部37とを有している。この形状のトラップ体13においても、取付部36の垂直面に沿った縦断面開口面積が扁平中空状のトラップ部37の水平面に沿った横断面開口面積と略等しくなっている。また、この排水装置６の雑物捕集体14の格子状の目皿部46である網部材42は、椀形状のもので、複数の略菱形の孔が形成されている。
【００６７】
そして、このような図２６ないし図２９に示す排水装置６であっても、容易に施工作業ができるとともに容易にごみ等の雑物の除去作業ができる等、図１等に示す排水装置６と同様の作用効果を奏することができる。
【００６８】
また一方、雑物捕集体14の目皿部46を金網等の網部材42にて構成したものには限定されず、例えば雑物捕集体14を格子状の目皿部を形成した耐熱塩化ビニル樹脂製の板状部材のみで構成したもの等でもよい。
【００６９】
また、排水装置６の構成部材のすべてを耐熱塩化ビニル樹脂製とした場合には、各構成部材を射出成形によって容易に製造でき、製造性を向上できるが、耐熱性の観点から鋳物等で製造してもよい。
【００７０】
さらに、例えばトラップ体13を突出筒状体12の内周側に固着した構成でもよい。
【図面の簡単な説明】
【００７１】
【図１】本発明の第１の実施の形態に係る排水装置の正面図である。
【図２】同上排水装置の縦断面図である。
【図３】同上排水装置の雑物捕集体を取り外した状態の平面図である。
【図４】同上排水装置のトラップ体の正面図である。
【図５】同上トラップ体の横断面図である。
【図６】同上排水装置の雑物捕集体の平面図である。
【図７】同上雑物捕集体の底面図である。
【図８】本発明の第２の実施の形態に係る排水装置の縦断面図である。
【図９】同上排水装置の雑物捕集体を取り外した状態の平面図である。
【図１０】同上排水装置の雑物捕集体の平面図である。
【図１１】同上雑物捕集体の底面図である。
【図１２】本発明の第３の実施の形態に係る排水装置の縦断面図である。
【図１３】同上排水装置の雑物捕集体を取り外した状態の平面図である。
【図１４】同上排水装置の雑物捕集体の平面図である。
【図１５】同上雑物捕集体の底面図である。
【図１６】本発明の第４の実施の形態に係る排水装置の縦断面図である。
【図１７】同上排水装置の雑物捕集体を取り外した状態の平面図である。
【図１８】同上排水装置の雑物捕集体の平面図である。
【図１９】同上雑物捕集体の底面図である。
【図２０】係合受け部を有する雑物捕集体の縦断面図である。
【図２１】同上雑物捕集体の平面図である。
【図２２】摘み板部を有する雑物捕集体の縦断面図である。
【図２３】同上雑物捕集体の平面図である。
【図２４】指挿入凹部を有する雑物捕集体の縦断面図である。
【図２５】同上雑物捕集体の平面図である。
【図２６】本発明の第５の実施の形態に係る排水装置の縦断面図である。
【図２７】同上排水装置の雑物捕集体を取り外した状態の平面図である。
【図２８】同上排水装置の雑物捕集体の平面図である。
【図２９】同上雑物捕集体の底面図である。
【符号の説明】
【００７２】
１    給湯タンク
６    排水装置
７    排水管
10    上面開口部
11    本体
12    突出筒状体
13    トラップ体
14    雑物捕集体
31    排水管被接続部
32    トラップ体被取付部
36    取付部
37    トラップ部
46    目皿部
【図１】
2007309623.tif 000003
【図２】
2007309623.tif 000004
【図３】
2007309623.tif 000005
【図４】
2007309623.tif 000006
【図５】
2007309623.tif 000007
【図６】
2007309623.tif 000008
【図７】
2007309623.tif 000009
【図８】
2007309623.tif 000010
【図９】
2007309623.tif 000011
【図１０】
2007309623.tif 000012
【図１１】
2007309623.tif 000013
【図１２】
2007309623.tif 000014
【図１３】
2007309623.tif 000015
【図１４】
2007309623.tif 000016
【図１５】
2007309623.tif 000017
【図１６】
2007309623.tif 000018
【図１７】
2007309623.tif 000019
【図１８】
2007309623.tif 000020
【図１９】
2007309623.tif 000021
【図２０】
2007309623.tif 000022
【図２１】
2007309623.tif 000023
【図２２】
2007309623.tif 000024
【図２３】
2007309623.tif 000025
【図２４】
2007309623.tif 000026
【図２５】
2007309623.tif 000027
【図２６】
2007309623.tif 000028
【図２７】
2007309623.tif 000029
【図２８】
2007309623.tif 000030
【図２９】
2007309623.tif 000031